(57)【要約】【課題】被走査面に対する走査光の傾きを容易に調整可能な走査光学装置及びそれを備えた画像形成装置を簡便且つ低コストで提供する。【解決手段】走査光学装置４のハウジング４８は第１の支持部２４ａ、２４ｂａ、２４ｂ及び第２の支持部５３の３点でフレーム部材２０ａ、２０ｂに水平に支持されている。第１の支持部２４ａ、２４ｂａ、２４ｂが設けられた側面４８ａには、ハウジング４８をフレーム部材２０ａに圧接する圧接機構２７が設けられている。側面４８ａと対向する側面４８ｂには第２の支持部５３を構成する支持ボス２１ｂが突設され、支持ボス２１ｂには調整部材３１が装着されている。調整部材３１をフレーム部材２０ｂに対し水平方向にスライドさせることにより、ハウジング４８の水平方向の傾きを調整可能となる。【選択図】図２
2007320223.tif 000002
【特許請求の範囲】
【請求項１】
光源部と、該光源部から射出されるビームにより被走査面上を偏向走査する走査光学系と、該光源部及び走査光学系を支持するハウジングと、を有し、
前記ハウジングの側面の隣り合う角部近傍にそれぞれ１箇所ずつ設けられた第１の支持部と、前記角部に隣接しない側面に設けられた第２の支持部により画像形成装置本体のフレーム部材間に３点で支持される走査光学装置において、
前記第２の支持部に対向する前記ハウジングの側面を付勢手段の付勢力により前記フレーム部材に圧接する圧接機構を設け、前記第２の支持部にはハウジングの水平方向の傾きを調整する調整機構を設けたことを特徴とする走査光学装置。
【請求項２】
前記圧接機構及び前記調整機構は、前記ハウジングの長手方向両端側の側面に設けられることを特徴とする請求項１に記載の走査光学装置。
【請求項３】
前記第２の支持部は、前記ハウジングの側面に突設される支持ボスと、前記フレーム部材側に形成され前記支持ボスが係合する横長状の係合穴とで構成されており、前記調整機構は、前記支持ボスに固定される調整部材と、前記調整部材を前記フレーム部材に水平移動可能に固定する調整ネジとで構成されることを特徴とする請求項１又は請求項２に記載の走査光学装置。
【請求項４】
前記調整部材は前記ハウジングの側面と前記フレーム部材との間に配置されており、前記フレーム部材には、前記調整部材の操作部が摺動可能に突出する操作穴と、前記調整部材に設けられた目盛りを視認可能な開口窓とが形成されることを特徴とする請求項３に記載の走査光学装置。
【請求項５】
請求項１乃至請求項４のいずれかに記載の走査光学装置を備えた画像形成装置。
【発明の詳細な説明】
【技術分野】
【０００１】
本発明は、書き込み用光学系として用いられる走査光学装置及びそれを備えたプリンタやファクシミリ、複写機などの画像形成装置に関するものである。
【背景技術】
【０００２】
ポリゴンミラーをモータにより回転させ、その多角形の側面に設けられた反射面にレーザ光（ビーム）を照射してその反射光を走査させる走査光学装置が複写機やレーザプリンタ等の画像形成装置に用いられている。このような走査光学装置の構成について図１０を用いて説明する。
【０００３】
図１０に示すように、走査光学装置４は、光源部４１から射出されたレーザ光をシリンドリカルレンズ４２によって線状の光束に集光し、偏向手段であるポリゴンミラー４３により所定の走査方向に偏向走査し、走査レンズ４４、折り返しミラー４５を経て図示しない感光体ドラム上に結像させる。結像された光束は、感光体ドラム上をポリゴンミラー４３の回転により主走査方向に、感光体ドラムの回転により副走査方向に走査して静電潜像を形成する。シリンドリカルレンズ４２、ポリゴンミラー４３、走査レンズ４４及び折り返しミラー４５は、光源部４１から射出されたレーザ光を偏向走査する走査光学系を構成する。
【０００４】
ポリゴンミラー４３からの走査光は、その走査面の一端においてミラー４６によって走査面の下方へ分離され、ビーム検知センサ４７に導入される。導入された走査光はビーム検知センサ４７において走査開始信号に変換され、光源部４１の半導体レーザ（図示せず）に送信される。半導体レーザは走査開始信号を受信した後、書き込み変調を開始する。
【０００５】
光源部４１、シリンドリカルレンズ４２、ポリゴンミラー４３及びその駆動モータ、走査レンズ４４、折り返しミラー４５、ミラー４６、ビーム検知センサ４７はハウジング４８の側面や底面に取り付けられる。感光体ドラムはハウジング４８の外側に配設されており、ハウジング４８の底面には、走査光をハウジング４８から感光体ドラムに向けて導くための窓部４９が設けられている。また、ハウジング４８の上部は図示しない蓋部材により閉塞されている。
【０００６】
このような走査光学装置４を画像形成装置の内部に取り付ける場合、走査光学装置４から射出されるレーザ光の主走査方向（図１０の矢印Ａ方向）と感光体ドラム（図示せず）との傾きを微調整することにより、感光体ドラム上に形成される画像の直角度が保持される。従来は走査光学装置４内部の折り返しミラー４５を調整していたが、特にカラー画像形成装置においては、走査光学装置４の複数の折り返しミラーを個々の色毎に調整する必要があるため、画像形成装置の組み立て工程が煩雑且つ長時間となり、製造コスト面でも不利となっていた。
【０００７】
そこで、走査光学装置のレーザ光の傾きを簡便に補正する方法が種々考案されており、例えば特許文献１には、各色の画像のレジストレーションずれ量の検出結果を用いて像担持体の傾きや歪みを検出するとともに、その傾きや歪みを補正するタイミング、露光量でレーザ光を露光することによりレジストレーションずれを抑制するカラー画像形成装置が開示されている。
【０００８】
また、特許文献２には、像担持体（感光体ドラム）及びそれに対応する露光手段（スキャナユニット）を押圧手段によりフレーム部材の突き当て部に突き当て保持することにより、複数の作像系（感光体ドラム及びスキャナユニット）の相互位置関係を調整することなく制度良く位置決めされる画像形成装置が開示されている。
【０００９】
しかしながら、特許文献１の方法では、レジストレーションずれ量を検知する検知手段及びレーザ光の走査タイミングや露光量を調整する機構が必要となり、制御機構も複雑となってしまう。また、特許文献２の方法では、感光体ドラム及びスキャナユニットの位置関係はフレーム部材の寸法精度に依存するため、フレーム部材に歪みが生じた場合は位置関係の調整が不可能であるという問題点があった。
【特許文献１】特開２００４−１７０７５５号公報
【特許文献２】特開２００１−２４２６７１号公報
【発明の開示】
【発明が解決しようとする課題】
【００１０】
本発明は、上記問題点に鑑み、像担持体に対する走査光の主走査方向の傾きを容易に調整可能な走査光学装置を簡便且つ低コストで提供することを目的とする。
【課題を解決するための手段】
【００１１】
上記目的を達成するために本発明は、光源部と、該光源部から射出されるビームにより被走査面上を偏向走査する走査光学系と、該光源部及び走査光学系を支持するハウジングと、を有し、前記ハウジングの側面の隣り合う角部近傍にそれぞれ１箇所ずつ設けられた第１の支持部と、前記角部に隣接しない側面に設けられた第２の支持部により画像形成装置本体のフレーム部材間に３点で支持される走査光学装置において、前記第２の支持部と対向する前記ハウジングの側面を付勢手段の付勢力により前記フレーム部材に圧接する圧接機構を設け、前記第２の支持部にはハウジングの水平方向の傾きを調整する調整機構を設けたことを特徴としている。
【００１２】
また本発明は、上記構成の走査光学装置において、前記圧接機構及び前記調整機構は、前記ハウジングの長手方向両端側の側面に設けられることを特徴としている。
【００１３】
また本発明は、上記構成の走査光学装置において、前記第２の支持部は、前記ハウジングの側面に突設される支持ボスと、前記フレーム部材側に形成され前記支持ボスが係合する横長状の係合穴とで構成されており、前記調整機構は、前記支持ボスに固定される調整部材と、前記調整部材を前記フレーム部材に水平移動可能に固定する調整ネジとで構成されることを特徴としている。
【００１４】
また本発明は、上記構成の走査光学装置において、前記調整部材は前記ハウジングの側面と前記フレーム部材との間に配置されており、前記フレーム部材には、前記調整部材の操作部が摺動可能に突出する操作穴と、前記調整部材に設けられた目盛りを視認可能な開口窓とが形成されることを特徴としている。
【００１５】
また本発明は、上記構成の走査光学装置が搭載された画像形成装置である。
【発明の効果】
【００１６】
本発明の第１の構成によれば、走査光学装置のハウジングを２箇所の第１の支持部と第２の支持部とでフレーム部材に３点支持し、第２の支持部と対向する側面に圧接機構を設け、第２の支持部に調整機構を設けることにより、ハウジングがフレーム部材の歪みの影響を受けにくくなるとともに、調整機構によりハウジングの傾きを調整するだけで被走査面に対する走査光の傾きの調整が可能となり、調整に伴うハウジングのガタつきも解消される。
【００１７】
また、本発明の第２の構成によれば、上記第１の構成の走査光学装置において、圧接機構及び調整機構をハウジングの長手方向両端側の側面に設けることにより、調整機構の調整量に対する走査光の傾きの変動量を小さくできるため、走査光の傾きの微調整が可能となる。
【００１８】
また、本発明の第３の構成によれば、上記第１又は第２の構成の走査光学装置において、第２の支持部をハウジングの側面に突設される支持ボスと、フレーム部材側に形成される横長状の係合穴とで構成し、調整機構を支持ボスに固定される調整部材と、調整部材をフレーム部材に水平移動可能に固定する調整ネジとで構成することにより、調整機構が簡易且つ低コストとなる。
【００１９】
また、本発明の第４の構成によれば、上記第３の構成の走査光学装置において、調整部材がハウジング側面とフレーム部材との間に配置され、フレーム部材に調整部材の操作部が突出する操作穴と、調整部材に設けられた目盛りを視認可能な開口窓とを形成することにより、開口窓を通して目盛りを見ながら調整部材を迅速且つ正確に調整可能となる。
【００２０】
また、本発明の第５の構成によれば、上記第１乃至第４のいずれかの構成の走査光学装置を搭載することにより、画像の直角度の調整が容易で生産性が高く、且つフレーム部材の歪みによる走査光学装置の位置ずれを確実に防止できる画像形成装置を提供する。
【発明を実施するための最良の形態】
【００２１】
以下に、本発明の実施形態を図面を参照して説明する。図１は、本発明の走査光学装置が搭載された画像形成装置の概略断面図であり、ここではタンデム方式のカラー画像形成装置について示している。カラー画像形成装置１００本体内には４つの画像形成部Ｐａ、Ｐｂ、Ｐｃ及びＰｄが、搬送方向上流側（図１では右側）から順に配設されている。これらの画像形成部Ｐａ〜Ｐｄは、異なる４色（シアン、マゼンタ、イエロー及びブラック）の画像に対応して設けられており、それぞれ帯電、露光、現像及び転写の各工程によりシアン、マゼンタ、イエロー及びブラックの画像を順次形成する。
【００２２】
この画像形成部Ｐａ〜Ｐｄには、各色の可視像（トナー像）を担持する感光体ドラム１ａ、１ｂ、１ｃ及び１ｄが配設されており、これらの感光体ドラム１ａ〜１ｄ上に形成されたトナー像が、駆動手段（図示せず）により図１において時計回りに回転し、各画像形成部に隣接して移動する中間転写ベルト８上に順次転写された後、転写ローラ９において転写紙Ｐ上に一度に転写され、さらに、定着部７において転写紙Ｐ上に定着された後、装置本体より排出される構成となっている。感光体ドラム１ａ〜１ｄを図１において反時計回りに回転させながら、各感光体ドラム１ａ〜１ｄに対する画像形成プロセスが実行される。
【００２３】
トナー像が転写される転写紙Ｐは、装置下部の用紙カセット１６内に収容されており、給紙ローラ１２ａ及びレジストローラ１２ｂを介して転写ローラ９へと搬送される。中間転写ベルト８には誘電体樹脂製のシートが用いられ、その両端部を互いに重ね合わせて接合しエンドレス形状にしたベルトや、継ぎ目を有しない（シームレス）ベルトが用いられる。
【００２４】
次に、画像形成部Ｐａ〜Ｐｄについて説明する。回転自在に配設された感光体ドラム１ａ〜１ｄの周囲及び下方には、感光体ドラム１ａ〜１ｄを帯電させる帯電器２ａ、２ｂ、２ｃ及び２ｄと、各感光体ドラム１ａ〜１ｄに画像情報を露光する走査光学装置４と、感光体ドラム１ａ〜１ｄ上にトナー像を形成する現像ユニット３ａ、３ｂ、３ｃ及び３ｄと、感光体ドラム１ａ〜１ｄ上に残留した現像剤（トナー）を除去するクリーニング部５ａ、５ｂ、５ｃ及び５ｄが設けられている。
【００２５】
ユーザにより画像形成開始が入力されると、先ず、帯電器２ａ〜２ｄによって感光体ドラム１ａ〜１ｄの表面を一様に帯電させ、次いで走査光学装置４によってレーザ光を照射し、各感光体ドラム１ａ〜１ｄ上に画像信号に応じた静電潜像を形成する。現像ユニット３ａ〜３ｄには、それぞれシアン、マゼンタ、イエロー及びブラックの各色のトナーが補給装置（図示せず）によって所定量充填されている。このトナーは、現像ユニット３ａ〜３ｄにより感光体ドラム１ａ〜１ｄ上に供給され、静電的に付着することにより、走査光学装置４からの露光により形成された静電潜像に応じたトナー像が形成される。
【００２６】
そして、中間転写ベルト８に所定の転写電圧で電界が付与された後、中間転写ローラ６ａ〜６ｄにより感光体ドラム１ａ〜１ｄ上のシアン、マゼンタ、イエロー、及びブラックのトナー像が中間転写ベルト８上に転写される。これらの４色の画像は、所定のフルカラー画像形成のために予め定められた所定の位置関係をもって形成される。その後、引き続き行われる新たな静電潜像の形成に備え、感光体ドラム１ａ〜１ｄの表面に残留したトナーがクリーニング部５ａ〜５ｄにより除去される。
【００２７】
中間転写ベルト８は、上流側の搬送ローラ１０と、下流側の駆動ローラ１１とに掛け渡されており、駆動モータ（図示せず）による駆動ローラ１１の回転に伴い中間転写ベルト８が時計回りに回転を開始すると、転写紙Ｐがレジストローラ１２ｂから所定のタイミングで中間転写ベルト８に隣接して設けられた転写ローラ９へ搬送され、フルカラー画像が転写される。トナー像が転写された転写紙Ｐは定着部７へと搬送される。
【００２８】
定着部７に搬送された転写紙Ｐは、定着ローラ対１３により加熱及び加圧されてトナー像が転写紙Ｐの表面に定着され、所定のフルカラー画像が形成される。フルカラー画像が形成された転写紙Ｐは、複数方向に分岐した分岐部１４によって搬送方向が振り分けられる。転写紙Ｐの片面のみに画像を形成する場合は、そのまま排出ローラ１５によって排出トレイ１７に排出される。
【００２９】
一方、転写紙Ｐの両面に画像を形成する場合は、定着部７を通過した転写紙Ｐは分岐部１４で用紙搬送路１８に振り分けられ、画像面を反転させた状態で転写ローラ９に再搬送される。そして、中間転写ベルト５上に形成された次の画像が転写ローラ９により転写紙Ｐの画像が形成されていない面に転写され、定着部７に搬送されてトナー像が定着された後、排出トレイ１７に排出される。
【００３０】
図２は本発明の走査光学装置を搬送方向下流側（図１の左側）から見た外観斜視図である。従来例の図１０と共通する部分には同一の符号を付して説明を省略する。ここでは走査光学装置４が画像形成装置１００本体に取り付けられた状態を示しており、ハウジング４８の搬送方向下流側の側面４８ａが支持される画像形成装置１００本体側のフレーム部材２０ａも併せて記載している。ハウジング４８の上面には感光体ドラム１ａ〜１ｄ（図１参照）に折り返しミラー４５（図１０参照）からのレーザ光を導く複数の窓部４９が設けられている。
【００３１】
ハウジング４８の側面４８ａには支持ボス２１ａ、位置決めボス２２が突設されており、それぞれフレーム部材２０ａに形成された係合穴２３ａ、２３ｂに係合している。左右の支持ボス２１ａが係合する係合穴２３ａは横長状に、中央の位置決めボス２２が係合する係合穴２３ｂは縦長状に形成されており、各係合穴２３ａ、２３ｂは、長手方向と直交する方向において支持ボス２１ａ、位置決めボス２２と嵌め合い公差で係合している。これにより、ハウジング４８はボス２１ａによってフレーム部材２０ａに対し上下方向に支持され、ボス２１ｂによってフレーム部材２０ａに対し左右方向に位置決めされる。支持ボス２１ａ及び係合穴２３ａは、側面４８ａを２点で支持する第１の支持部２４ａ、２４ｂを構成する。
【００３２】
また、左右の支持ボス２１ａから中央寄りの２箇所には、ビス穴２９ａ（図３参照）が形成された固定ボス２９が突設されており、圧縮バネ２５及びフレーム部材２０ａを貫通してビス２６が締結されている。圧縮バネ２５及びビス２６は、側面４８ａをフレーム部材２０ａに圧接する圧接機構２７を構成する。
【００３３】
なお、ここでは第１の支持部２４ａ、２４ｂは共に側面４８ａに設けられているが、側面４８ａに直交する側面に沿ってフレーム部材を配置し、第１の支持部２４ａ、２４ｂのうち少なくとも１方を側面４８ａに直交する側面に設けても良い。即ち、第１の支持部２４ａ、２４ｂはハウジング４８の側面の隣り合う角部４８ｃ、４８ｄ近傍にそれぞれ１箇所ずつ設けておけば良い。
【００３４】
図３は圧接機構２７の断面拡大図である。図３に示すように、ビス２６はヘッド部２６ａよりも小径且つ軸部２６ｂよりも大径の圧縮バネ２５、及びフレーム部材２０ａに形成された軸部２６ｂと略同径の丸穴２８を貫通し、先端の雄ネジ部２６ｃが固定ボス２９に形成されたビス穴２９ａに螺入されている。軸部２６ｂの長さは圧縮バネ２５の自然長よりも短く設定されており、雄ネジ部２６ｃの螺入によりヘッド部２６ａとフレーム部材２０ａとの間に挟まれた圧縮バネ２５が付勢力に抗して圧縮される。
【００３５】
従って、図３の左右方向に圧縮バネ２５による付勢力が作用するが、フレーム部材２０ａは画像形成装置１００本体に固定されているため、ハウジング４８に矢印Ｂ方向の力が作用し、側面４８ａはフレーム部材２０ａに引き付けられて圧接される。即ち、圧接機構２７は、ハウジングの側面４８ａをフレーム部材２０ａに圧接することにより、ハウジング４８の搬送方向（図２の紙面方向）の移動を規制する。なお、圧縮バネ２５に代えて、板バネや引っ張りバネを用いて側面４８ａをフレーム部材２０ａに圧接可能な構成としても良い。
【００３６】
次に、本発明の走査光学装置の搬送方向上流側（図１の右側）の支持方法について説明する。図４は、本発明の走査光学装置を搬送方向下流側から見た外観斜視図である。側面４８ａ（図２参照）と対向する側面４８ｂの中央部には支持ボス２１ｂが突設され、支持ボス２１ｂの左右両側には突起部３０が突設されている。支持ボス２１ｂにはハウジング４８の水平方向の傾きを調整する調整機構（後述）が設けられる。
【００３７】
図５は支持ボス２１ｂに調整部材を装着した状態を示す外観斜視図であり、図６は調整部材の拡大斜視図である。調整部材３１は、矩形状の金属板であり、略中央部には支持ボス２１ｂが挿入される開口３２が形成されている。開口３２の左右には一対の折曲部３３ａ、３３ｂが設けられている。開口３２の上下方向の開口幅及び折曲部３３ａ、３３ｂの間隔は支持ボス２１ｂの直径と略同一であり、支持ボス２１ｂへの装着時に調整部材３１のガタつきが生じないように設計されている。
【００３８】
調整部材３１の左上方及び右下方には、フレーム部材２０ｂ（図７参照）に固定するためのネジ穴３４ａ、３４ｂが形成されている。また、調整部材３１の表面２箇所には突起３５ａ、３５ｂが突設されている。調整部材３１の左下方には目盛り３７が刻印されており、右側端部下方は垂直に折り曲げられて調整部材３１をスライドさせるための操作部３９が形成されている。
【００３９】
図７は走査光学装置４が画像形成装置１００本体に取り付けられた状態を搬送方向上流側（図１の右側）から見た外観斜視図である。ハウジング４８の搬送方向上流側の側面４８ｂ（図５参照）は、フレーム部材２０ａ（図２参照）に対向配置された画像形成装置１００本体側のフレーム部材２０ｂに支持されている。支持ボス２１ｂは、フレーム部材２０ｂに設けられた横長状の係合穴５０に上下方向において嵌め合い公差で係合しており、ハウジング４８は支持ボス２１ｂによってフレーム部材２０ｂに対し上下方向に位置決めされている。支持ボス２７ａ及び係合穴５０は、側面４８ｂを１点で支持する第２の支持部５３を構成する。
【００４０】
また、左右の突起部３０はフレーム部材２０ｂに設けられた貫通穴５１を貫通している。突起部３０と貫通穴５１との間には上下に所定の隙間が設けられており、画像形成装置１００の運搬や設置時の衝撃や振動によるハウジング４８の歪みやねじれを吸収可能となっている。
【００４１】
次に、ハウジング４８の傾きを調整する機構について詳細に説明する。図８は図７における支持ボス２１ｂ周辺の正面拡大図であり、図９は支持ボス２１ｂ周辺の上面断面図（図８のＣＣ′断面）である。調整部材３１の開口３２を貫通した支持ボス２１ｂは、フレーム部材２０ｂの係合穴５０に係合している。また、突起３５ａ、３５ｂはガイド穴５５ａ、５５ｂに係合しており、調整部材３１をフレーム部材２０ｂに沿って水平に摺動させるためのガイド機構となっている。操作部３９は操作穴５７よりフレーム部材２０ｂの表面側に突出している。
【００４２】
また、調整ネジ５９ａ、５９ｂがフレーム部材２０ｂの長穴６０ａ、６０ｂを介して調整部材３１のネジ穴３４ａ、３４ｂ（図６参照）に螺入されている。ここで、係合穴５０、ガイド穴５５ａ、５５ｂ、操作穴５７、及び長穴６０ａ、６０ｂの水平方向の開口幅は、調整部材３１の最大スライド幅となるように設計されている。
【００４３】
従って、調整部材３１を水平方向（図の矢印ＤＤ′方向）に所定量スライドさせることにより、調整部材３１が係止されたハウジング４８の側面４８ｂ側も同じ量だけ水平方向に移動する。これにより、圧接機構２７（図２参照）の圧縮バネ２５が伸縮して側面４８ａの一部がフレーム部材２０ａから離間し、ハウジング４８が水平方向に所定量だけ回動する。その後、調整ネジ５９ａ、５９ｂを締結することにより、ハウジング４８が所定位置に位置決めされる。
【００４４】
さらに、フレーム部材２０ｂには調整部材３１表面に刻印された目盛り３７を視認するための窓部６１が設けられており、窓部６１の上端には調整部材３１側の目盛り３７と向き合うように目盛り６３が刻印されている。このフレーム部材２０ｂ側の目盛り６３は、目盛り３７とは異なるピッチで刻まれており、それぞれの中央の目盛りが重なり合うとき調整部材３１がスライド幅の中央に位置している。そして、重なり合う目盛りが中央から左右に１つずれる毎に、目盛り３７及び目盛り６３のピッチ差分だけ調整部材３１が左右にスライドするようになっている。
【００４５】
従って、目盛り３７及び目盛り６３のピッチを適宜設定することにより、調整部材３１の微調整が可能となる。また、走査光学装置４及び感光体ドラム１ａ〜１ｄの調整にバラツキがない場合は、調整部材３１のスライド量も一定となるため、予め目盛り３７及び目盛り６１の重なり合う位置を決定しておくことで調整部材３１の位置決めを簡単に行うことができ、生産工程の更なる簡素化を図ることができる。
【００４６】
上述した構成により、走査光学装置４のハウジング４８は側面４８ａ側の２箇所に設けられた第１の支持部２４ａ、２４ｂ、及び側面４８ｂ側に設けられた第２の支持部５３の３点でフレーム部材２０ａ、２０ｂに水平に支持されるため、フレーム部材２０ａ、２０ｂの歪みの影響を受けにくくなる。また、側面４８ａ側が圧縮バネ２５による付勢力を用いてフレーム部材２０ａに圧接され、第２の支持部に調整機構を設けたので、走査光学装置４の組み立て時に各折り返しミラー４５（図１０参照）を平行に調整しておけば、ハウジング４８の傾きを調整するだけで感光体ドラム１ａ〜１ｄ（図１参照）に対する走査光の傾き、即ち画像の直角度の調整が可能となる。
【００４７】
なお、ここではハウジング４８の長手方向（搬送方向）両端側の側面４８ａ、４８ｂに圧接機構２７及び調整部材３１を設けているが、側面４８ａ、４８ｂに隣接する短手方向両端側の側面に設けることもできる。しかし、ハウジング４８の短手方向両端側に調整機構を設けた場合、調整部材３１の調整量に対するハウジング４８の回動量が大きくなるため、走査光の傾きの微調整が困難となる。従って、本実施形態のように長手方向両端側の側面４８ａ、４８ｂに設けることが好ましい。
【００４８】
その他、本発明は上記実施形態に限定されず、本発明の趣旨を逸脱しない範囲で種々の変更が可能である。例えば、調整部材３１を用いた本発明の調整機構は一例であり、調整部材３１の形状等、調整機構は適宜設計することができる。また、突起部３０及び貫通穴５１による振動防止機構は必ずしも必要ではなく、突起部３０及び貫通穴５１を設けない構成としても良い。
【００４９】
また、ここではタンデム式のカラー画像形成装置に搭載される走査光学装置を例に挙げて説明したが、これに限定されるものではなく、本発明は、従来例の図１０に示したようなモノクロ機に搭載される走査光学装置にも全く同様に適用可能であり、画像の直角度の調整を容易にして画像形成装置の組み立て作業性の向上に貢献する。
【産業上の利用可能性】
【００５０】
本発明は、光源部と、該光源部から射出されるビームにより被走査面上を偏向走査する走査光学系と、該光源部及び走査光学系を支持するハウジングと、を有し、ハウジングの側面の隣り合う角部近傍にそれぞれ１箇所ずつ設けられた第１の支持部と、角部に隣接しない側面に設けられた第２の支持部により画像形成装置本体のフレーム部材間に３点で支持される走査光学装置において、第２の支持部と対向するハウジングの側面を付勢手段の付勢力によりフレーム部材に圧接する圧接機構を設け、第２の支持部にはハウジングの水平方向の傾きを調整する調整機構を設けたものである。
【００５１】
これにより、フレーム部材の歪みの影響を受けにくく、且つハウジング全体の傾き調整により被走査面に対する走査光の傾きの調整が可能となり、調整に伴うハウジングのガタつきも解消できる走査光学装置を簡便且つ低コストで提供することができる。
【００５２】
また、圧接機構及び調整機構をハウジングの長手方向両端側の側面に設けたので、調整機構の調整量、即ちハウジングの回動量に対する走査光の傾きの変動量を小さくできるため、走査光の傾きの微調整が可能となる。
【００５３】
また、ハウジングの支持ボスに固定される調整部材と、調整部材をフレーム部材に水平移動可能に固定する調整ネジとで調整機構を構成したので、構造が簡単でコストも安く、実用的な調整機構となる。さらに、調整部材に目盛りを刻印しておき、フレーム部材に調整部材の操作部が突出する長穴と、目盛りを視認可能な開口窓とを形成しておけば、開口窓を通して目盛りを確認しながら操作部をスライドさせることにより、調整部材を迅速且つ正確に調整可能となる。
【００５４】
また、本発明の走査光学装置を搭載することで、画像の直角度の調整が容易な画像形成装置を簡易な構成で実現することができる。特に、カラー画像形成装置においては複数のミラーを個別に調整することなく走査光の傾きを容易に調整可能となるため、装置の組み立て作業性が向上する。
【図面の簡単な説明】
【００５５】
【図１】は、本発明の走査光学装置が搭載されたカラー画像形成装置の内部構造を示す概略断面図である。
【図２】は、本発明の走査光学装置を搬送方向下流側（図１の左側）から見た外観斜視図である。
【図３】は、本発明の走査光学装置に用いられる圧接機構の断面拡大図である。
【図４】は、本発明の走査光学装置を搬送方向上流側（図１の右側）から見た外観斜視図である。
【図５】は、走査光学装置のハウジングに調整部材を装着した状態を示す外観斜視図である。
【図６】は、調整部材の外観斜視図である。
【図７】は、本発明の走査光学装置がフレーム部材に支持された状態を搬送方向上流側（図１の右側）から見た外観斜視図である。
【図８】は、図７における支持ボス２１ｂ周辺の正面拡大図である。
【図９】は、支持ボス２１ｂ周辺の上面断面図（図８のＣＣ′断面）である。
【図１０】は、従来の走査光学装置の内部構造を示す概略斜視図である。
【符号の説明】
【００５６】
１ａ〜１ｄ      感光体ドラム（被走査面）
４              走査光学装置
２０ａ、２０ｂ  フレーム部材
２１ａ、２１ｂ  支持ボス
２３ａ、２３ｂ  係合穴
２４ａ、２４ｂ  第１の支持部
２５            圧縮バネ
２６            ビス
２７            圧接機構
３０            突起部
３１            調整部材（調整機構）
３２            開口
３４ａ、３４ｂ  ネジ穴
３５ａ、３５ｂ  突起
３７            目盛り（調整部材側）
３９            操作部
４１            光源部
４２            シリンドリカルレンズ（走査光学系）
４３            ポリゴンミラー（走査光学系）
４４            走査レンズ（走査光学系）
４５            折り返しミラー（走査光学系）
４８            ハウジング
４８ａ、４８ｂ  側面
４８ａ、４８ｂ  角部
５０            係合穴
５１            貫通穴
５３            第２の支持部
５５ａ、５５ｂ  ガイド穴
５７            操作穴
５９ａ、５９ｂ  調整ネジ（調整機構）
６０ａ、６０ｂ  長穴
６１            開口窓
６３            目盛り（フレーム部材側）
【図１】
2007320223.tif 000003
【図２】
2007320223.tif 000004
【図３】
2007320223.tif 000005
【図４】
2007320223.tif 000006
【図５】
2007320223.tif 000007
【図６】
2007320223.tif 000008
【図７】
2007320223.tif 000009
【図８】
2007320223.tif 000010
【図９】
2007320223.tif 000011
【図１０】
2007320223.tif 000012